(57)【要約】  本発明は、タッチスクリーンパネル装置に関し、ＩＴＯセンサガラス層と、前記ＩＴＯセンサガラス層の上部にＯＣＡによって積層されるウィンドウガラス層と、前記ウィンドウガラス層と前記ＩＴＯセンサガラス層の面との間に介在して電極パターンとして用いられる導電層と、前記導電層が配置されるウィンドウガラス層の面又はＩＴＯセンサガラス層の面のうちいずれか１つの面に実装されるタッチスクリーンコントロールユニットと、を含み、コントロールユニットをタッチスクリーンパネルの比較的硬いガラス層に実装することによって、曲げなどによるコントロールユニットの接触不良を未然に防止してタッチ感度を向上させ、結果的に機器の信頼性の回復に資することができるように具現されるタッチスクリーンパネル装置を提供できる。
2013524335.tif 000002
【特許請求の範囲】
【請求項１】
タッチスクリーンパネル装置において、
ＩＴＯセンサガラス層；
前記ＩＴＯセンサガラス層の上部にＯＣＡによって積層されるウィンドウガラス層；
前記ウィンドウガラス層の面と前記ＩＴＯセンサガラス層の面との間に介在して電極パターンとして用いられる導電層；及び
前記導電層が配置されるウィンドウガラス層の面又はＩＴＯセンサガラス層の面のうちいずれか１つの面に実装されるタッチスクリーンコントロールユニットを含むことを特徴とするタッチスクリーンパネル装置。
【請求項２】
前記タッチスクリーンコントロールユニットは複数の集積回路が実装されたＴＣＰで具現されることを特徴とする請求項１に記載のタッチスクリーンパネル装置。
【請求項３】
前記ＴＣＰはＴＡＢ方式によってＡＣＦでボンディングされることを特徴とする請求項２に記載のタッチスクリーンパネル装置。
【請求項４】
前記導電層の端部には端部にコネクタ部を含む可撓性印刷回路がＡＣＦによってボンディングされることを特徴とする請求項２に記載のタッチスクリーンパネル装置。
【請求項５】
前記タッチスクリーンコントロールユニットは導電層が塗布されたＩＴＯセンサガラス層の面に実装されることを特徴とする請求項２に記載のタッチスクリーンパネル装置。
【請求項６】
前記タッチスクリーンコントロールユニットは前記ＯＣＡがウィンドウガラス層と重ならない部分の前記ＩＴＯセンサガラス層の面に実装されることを特徴とする請求項５に記載のタッチスクリーンパネル装置。
【請求項７】
前記導電層の露出された部分には酸化膜層が塗布されることを特徴とする請求項６に記載のタッチスクリーンパネル装置。
【請求項８】
タッチスクリーンコントロールユニットは前記ＯＣＡが前記ウィンドウガラス層と重なる前記ＩＴＯセンサガラス層の面に実装されること特徴とする請求項５に記載のタッチスクリーンパネル装置。
【請求項９】
前記タッチスクリーンコントロールユニットは導電層が塗布されたウィンドウガラス層の面に実装されることを特徴とする請求項２に記載のタッチスクリーンパネル装置。
【請求項１０】
前記露出された導電層には酸化膜層が塗布されることを特徴とする請求項９に記載のタッチスクリーンパネル装置。
【請求項１１】
タッチスクリーンパネル装置において、
ウィンドウガラス層；
前記ウィンドウガラス層の底面に積層されて電極パターンとして用いられる導電層；及び
前記ウィンドウガラス層の底面に実装されるタッチスクリーンコントロールユニットを含むことを特徴とするタッチスクリーンパネル装置。
【請求項１２】
前記タッチスクリーンコントロールユニットは複数の集積回路が実装されたＴＣＰで具現されることを特徴とする請求項１１に記載のタッチスクリーンパネル装置。
【請求項１３】
前記ＴＣＰはＴＡＢ方式によってＡＣＦでボンディングされることを特徴とする請求項１２に記載のタッチスクリーンパネル装置。
【請求項１４】
前記導電層の端部には端部にコネクタ部を含む可撓性印刷回路がＡＣＦによってボンディングされることを特徴とする請求項１２に記載のタッチスクリーンパネル装置。
【請求項１５】
前記導電層の露出された部分には酸化膜層が塗布されることを特徴とする請求項１１に記載のタッチスクリーンパネル装置。
【発明の詳細な説明】
【技術分野】
【０００１】
本発明は、電子機器のデータ入出力手段として用いられるタッチスクリーンパネル装置に関する。特に、本発明は、タッチスクリーン制御用コントロールユニットをセンサ面に直接実装することによって、タッチ不良を未然に防止するとともにタッチ感度の向上に資することができるように具現されるタッチスクリーンパネル装置に関する。
【背景技術】
【０００２】
各種電子機器にはデータの入力のための入力装置とデータの出力のための出力装置とが備えられる。前記入力装置はキーボタン装置などに大別されることができ、前記出力装置はＬＣＤモジュールを含むディスプレイ装置に大別されることができる。
【０００３】
最近、電子機器の体積を著しく減らすとともに、その機能を多様化できるようにデータの入出力が同じ位置で行われることができるタッチスクリーンパネル装置が発売されている。前記タッチスクリーンパネル装置は透明タッチパネルがＬＣＤモジュールの上部に配置されることによって、入出力が同時に行われるが、このようなタッチパネルは抵抗膜方式（Ｒｅｓｉｓｔｉｖｅ）タッチパネル、静電容量式タッチパネル、超音波式タッチパネル、光（赤外線）センサ式タッチパネル、電磁誘導式タッチパネルなど様々な方式のタッチパネルに区別される。
【０００４】
このようなタッチパネルのうち静電容量方式タッチパネルは、誘電体からなるウィンドウ部、前記ウィンドウ部の下部に結合され、ＰＥＴ又はガラスからなる誘電体層（ＩＴＯフィルム、ＩＴＯガラス）、前記誘電体層の上部にタッチを感知すべき部分をＩＴＯ（Ｉｎｄｉｕｍ  Ｔｉｎ  Ｏｘｉｄｅ）のような透明導電性物質でコーティングした導電性物質コーティング層及び前記ＩＴＯ層とウィンドウ部を結合するための接着層であるＯＣＡ（Ｏｐｔｉｃａｌ  Ｃｌｅａｒ  Ａｄｈｅｓｉｖｅ）（光学用透明接着剤）を含む。さらに、前記導電性物質コーティング層はシルバーペースト電極部を含み、前記電極部に所定の可撓性印刷回路が電気的に連結される。前記可撓性印刷回路上にはタッチスクリーン制御用コントロールユニットが実装され、前記ユニットが実装された可撓性印刷回路の端部はコネクタ部として機器のメインボードに電気的に連結される。
しかし、上述のように可撓性印刷回路にタッチを感知するコントロールユニットが実装されると、可撓性印刷回路の柔軟性によるコントロールユニットの接触不良が時々発生するようになり、これはタッチ感度の低下を招いて結果的に機器の信頼性の低下を招き得る。
【発明の概要】
【発明が解決しようとする課題】
【０００５】
本発明は、上述した問題点を解決するために創案されたものであって、本発明の目的は、別途の空間を拡張することなくタッチスクリーンパネルの比較的硬い部分にコントロールユニットを実装することによってタッチ感度を向上させることができるように具現されるタッチスクリーンパネル装置を提供することにある。
【０００６】
本発明の他の目的は、既存のタッチスクリーンパネルの比較的硬い構成要素であるＩＴＯガラス層又はウィンドウ部のガラス層にコントロールユニットを実装することによってコントロールユニットの接触不良を未然に防止し、これによる機器の信頼性の向上に資することができるように具現されるタッチスクリーンパネル装置を提供することにある。
【課題を解決するための手段】
【０００７】
本発明によれば、タッチスクリーンパネル装置が提供される。タッチスクリーンパネル装置はＩＴＯセンサガラスと、前記ＩＴＯセンサガラスの上部にＯＣＡによって積層されるウィンドウガラス層と、前記ウィンドウガラス面と前記ＩＴＯセンサガラス面の間に介在して電極パターンとして用いられる導電層と、前記導電層が配置されるウィンドウガラス面又はＩＴＯセンサガラス面のうちいずれか１つの面に実装されるタッチスクリーンコントロールユニットと、を含む。
【０００８】
また、本発明の他の態様によるタッチスクリーンパネル装置が提供される。タッチスクリーンパネル装置はウィンドウガラス層と、前記ウィンドウガラス層の底面に積層されて電極パターンとして用いられる導電層と、前記ウィンドウガラス層の底面に実装されるタッチスクリーンコントロールユニットと、を含む。
【０００９】
本発明の他の様態、長所及び特徴的構成は、本発明の例示的な実施形態を開示した添付された図面と結合された次の詳細な説明によって当業者にとって明白であろう。
【発明の効果】
【００１０】
本発明によるタッチスクリーンパネル装置は、コントロールユニットをタッチスクリーンパネルの比較的硬いガラス層に実装することによって、曲げなどによるコントロールユニットの接触不良を未然に防止してタッチ感度を向上させ、結果的に機器の信頼性の回復に資することができるように具現されるタッチスクリーンパネル装置を提供できる効果がある。
【図面の簡単な説明】
【００１１】
【図１】本発明によるタッチスクリーンパネル装置が適用される携帯端末の斜視図である。
【図２】本発明による図１のディスプレイ装置の分離斜視図である。
【図３】本発明の一実施形態によるタッチスクリーンパネルの構成を示した要部断面図である。
【図４】本発明の他の実施形態によるタッチスクリーンパネルの構成を示した要部断面図である。
【図５】本発明のさらに他の実施例によるタッチスクリーンパネルの構成を示した要部断面図である。
【発明を実施するための形態】
【００１２】
以下、本発明の好ましい実施形態を添付された図面を参照して詳細に説明すると下記のとおりである。しかし、本発明の要旨を不要に不明にし得ると判断される場合はその詳細な説明を省略する。
【００１３】
本図では携帯端末を示し、これに適用されるタッチスクリーンパネルを示し記述しているが、これに限定されない。例えば、本発明によるタッチスクリーンパネルを含む様々な電子機器に適用することができる。
【００１４】
図１は、本発明によるタッチスクリーンパネル装置が適用される携帯端末１００の斜視図であり、端末機１００の前面１０１にディスプレイ装置１が設置される。前記ディスプレイ装置１はデータの入出力機能を同時に支援する。前記ディスプレイ装置１の上部にスピーカ装置１０２が設置され、前記ディスプレイ装置１の下側にマイク装置１０３が設置される。
【００１５】
図２は、本発明による図１のディスプレイ装置１の分離斜視図で、金属材質の補強プレート７０と、前記補強プレート７０に順に積層されるバックライトユニット６０、両面テープ５０及びＬＣＤパネル４０及びタッチスクリーンパネル１０、２０、３０を含む。
【００１６】
前記補強プレート７０は金属材質、例えば、ＳＵＳ材質で形成され得る。前記補強プレート７０は前記バックライトユニット６０のみでなくその上部のＬＣＤパネル４０及びタッチスクリーンパネル１０、２０、３０を保護する役割を行い、前記ディスプレイ装置１を１つのアセンブリとして使用されるようにする。
【００１７】
前記タッチスクリーンパネル１０、２０、３０は外側に可撓性印刷回路（ＦＰＣ：Ｆｌｅｘｉｂｌｅ  Ｐｒｉｎｔｅｄ  Ｃｉｒｃｕｉｔ）の一部が突出されるように設置され、その端部には機器の基板に電気的に連結するためのコネクタ部が形成される。しかし、従来のそれとは異なって、前記可撓性印刷回路１８にはタッチスクリーン制御用コントロールユニット（以下、「コントロールユニット」）は設置されない。本発明によるコントロールユニットはタッチパネルをなす構成要素であるＩＴＯガラス又はウィンドウガラスに設置されることができる。以下、本発明による詳細な内容が記述される。
【００１８】
図３は、本発明の一実施形態によるタッチスクリーンパネルの構成を示した要部断面図である。
図３に示すように、最下部にはＩＴＯセンサガラス１１が設置される。前記ＩＴＯセンサガラス１１の上面には導電層１２が塗布される。前記導電層１２はＩＴＯ又はＩＺＯを含む透明導電性物質であることが好ましい。前記導電層１２は電極パターンが形成されており、図示していない両端のシルバーペースト電極部を介して電気的連結が可能である。
【００１９】
次に、前記導電層１２の上部にＯＣＡ１３を用いてウィンドウガラス１４が積層されることによって１つのタッチスクリーンパネル１０が完成される。次に、本発明によるタッチスクリーンコントロールユニット１７が前記ＩＴＯセンサガラス１１の上部に実装される。さらに詳しくは、前記コントロールユニット１７は前記ＩＴＯセンサガラス１１上部の導電層１２にテープ自動化実装（Ｔａｐｅ  Ａｕｔｏｍａｔｅｄ  Ｂｏｎｄｉｎｇ：以下「ＴＡＢ」という）方式によって実装される。さらに好ましくは、前記コントロールユニット１７は複数の集積回路（Ｉｎｔｅｇｒａｔｅｄ  Ｃｉｒｃｕｉｔ）が実装されたテープキャリアパッケージ（Ｔａｐｅ  Ｃａｒｒｉｅｒ  Ｐａｃｋａｇｅ：以下「ＴＣＰ」という）で具現されることができ、前記ＴＣＰが前記ＩＴＯセンサガラス１１の上部に電気的にボンディングされる方式で実装される。この時、前記導電層１２の電極の間の接合のための接着剤として異方性導電フィルム（Ａｎｉｓｏｔｒｏｐｉｃ  Ｃｏｎｄｕｃｔｉｖｅ  Ｆｉｌｍ：以下「ＡＣＦ」という）１６を使用するようになる。
【００２０】
次に、前記ＩＴＯセンサガラス１１の導電層１２にもＡＣＦ１６を用いて所定の長さに引き出され端部に機器本体の基板に電気的に連結されるための可撓性印刷回路１８を実装するようになる。前記可撓性印刷回路１８の端部にはコネクタ部１８１が形成されて機器本体と電気的に連結される。さらに、前記導電層１２の露出された上部には前記導電層１２を保護するための酸化膜層１５がさらに積層され得る。
【００２１】
図４は、本発明の他の実施形態によるタッチスクリーンパネル２０の構成を示した要部断面図で、ＩＴＯセンサガラス２１面にコントロールユニット２７と可撓性印刷回路２８とがＡＣＦ２６によるＴＡＢボンディング方式で実装される場合を示す。この図面では別途の酸化膜層が不要で、前記コントロールユニット２７及び可撓性印刷回路２８の接合部分もＯＣＡ２３とウィンドウガラス２４によって覆われるように積層され得ることを示す。
ここで、上述した同じ構成要素は符号が異なっても同じ機能を行う。
【００２２】
図５は、本発明のさらに他の実施形態によるタッチスクリーンパネル３０の構成を示した要部断面図で、電極パターンを有する導電層３２がウィンドウガラス３４の下面に積層される状態を示している。この場合、別途のＩＴＯフィルム層が不要である。また、この場合、本発明によるコントロールユニット３７と可撓性印刷回路３８とは前記ウィンドウガラス３４の下面に積層された導電層３２に実装され得る。この場合も、上述した同じ構成要素は符号が異なっても同じ機能を行うことができる。
【００２３】
請求項の範囲内に属している上、このような実施形態を変形できる多くの様々な方式があることは明らかである。言い換えると、以下の特許請求の範囲から逸脱することなく本発明を実施できる多くの他の方式が存在し得る。
【符号の説明】
【００２４】
１０、２０、３０  タッチスクリーンパネル
１１、２１  ＩＴＯセンサガラス
１２、２２、３２  導電層
１３、２３  ＯＣＡ：光学用透明接着剤
１４、２４、３４  ウィンドウガラス
１５、３５  酸化膜層
１６、２６、３６  ＡＣＦ：異方性導電フィルム
１７、２７、３７  タッチスクリーンコントロールユニット
１８、２８、３８  ＦＰＣ：可撓性印刷回路
１８１、２８１、３８１  コネクタ部
４０  ＬＣＤパネル
５０  両面テープ
６０  バックライトユニット
７０  補強プレート
【図１】
2013524335.tif 000003
【図２】
2013524335.tif 000004
【図３】
2013524335.tif 000005
【図４】
2013524335.tif 000006
【図５】
2013524335.tif 000007
【国際調査報告】
2013524335.tif 000008
2013524335.tif 000009